(57)【要約】【課題】  所定の位置に引き出されたシールドの取付け角をスムーズに変更することができるヘルメットのシールド装着装置を提供すること。【解決手段】  シールド１０と、案内溝２１を備えたシールドガイド板２０と、シールド１０と係合してシールド１０と一体となってシールドガイド板２０を移動する固定部材３０とを備えたシールド装着装置１００において、シールドガイド板２０が案内溝２１下端から上端方向に突出する凸部２６を有しており、固定部材３０が凸部２６を係止する複数の係止部を備えた取付け角変更部３３を有しており、シールド１０が所定の位置まで引き出された状態において、凸部２６と係合する取付け角変更部３３の係止部を変更することにより、シールド１０の取付け角が変わる。【選択図】  図２
2013083012.tif 000002
【特許請求の範囲】
【請求項１】
シールドと、当該シールドの進退を案内する案内溝を備えたシールドガイド板と、前記シールドと係合して前記シールドと一体となって前記シールドガイドを移動する固定部材とを備えたヘルメットのシールド装着装置において、
前記シールドガイド板が前記案内溝下端から前記案内溝上端方向に突出する凸部を有しており、前記固定部が前記凸部を係止する複数の係止部を備えた取付け角変更部を有しており、前記シールドが所定の位置まで引き出された状態において、前記凸部を係止する前記取付け角変更部の前記係止部を変更することにより、前記シールドの取付け角が変わることを特徴とするヘルメットのシールド装着装置。
【請求項２】
前記取付け角変更部が上下方向に変位可能な弾性を有する板バネの表面に形成されていることを特徴とする請求項１に記載のヘルメットのシールド装着装置。
【請求項３】
前記シールドが、前記シールドガイド板に向かって延びるように一体に延設されたスライド板部を備えており、前記案内溝が２つであり、２つの前記案内溝の間のレール部が、前記スライド板部と前記固定部材とにより挟まれていることを特徴とする請求項１に記載のヘルメットのシールド装着装置。
【請求項４】
前記レール部が他の部分よりも厚みの薄い薄肉部を備えており、前記シールドが所定の位置まで引き出された状態において、前記固定部材が前記薄肉部に位置することを特徴とする請求項３に記載のヘルメットのシールド装着装置。
【請求項５】
前記スライド板部の上端が前記シールドガイド板から離れる方向に曲がって延びているものであることを特徴とする請求項３に記載のヘルメットのシールド装着装置。
【発明の詳細な説明】
【技術分野】
【０００１】
本発明は、シールドがヘルメット本体の前部内面に沿って上下方向に進退可能に取付けられるヘルメットのシールド装着装置であって、所定の位置まで引き出された状態のシールドの取付け角を変更可能なものに関する。
【背景技術】
【０００２】
従来、ヘルメット本体の前部内面に沿って上下方向に進退可能なシールドをヘルメットに装着する装置として、シールドガイドの案内溝に沿ってフェイスシールドを変位可能に装着する機構がある（例えば、特許文献１、２）。しかし、これら文献に開示されているヘルメットのシールド装着装置はいずれも、所定の位置まで引き出された状態のシールドの取付け角を変更可能なものではない。
顔面保護板を昇降可能とする昇降機構を有する顔面保護板付ヘルメットにおいて、降下した顔面保護板を後方側に傾動可能とする傾動機構としては、例えば、特許文献３に記載されたものがある。
【先行技術文献】
【特許文献】
【０００３】
【特許文献１】特開２０１１−８９２１９号公報
【特許文献２】特開２００９−２０３５６９号公報
【特許文献３】特開２００３−４９３１６号公報
【発明の概要】
【発明が解決しようとする課題】
【０００４】
特許文献３には、眼鏡を掛けた着用者でも好適に使用可能とすることを目的として、顔面保護板を支持する支持板に設けた３本の案内孔のうち、中央の案内孔を延長しその下端部を外側の案内孔の下端部よりも下方に位置させ、中央の案内孔の延長部および下端部に顔面保護板を保持するための幅広部を設けた構成が開示されている。
しかし、同文献に開示された構成は、引き下ろし角度の大きい位置まで顔面保護板を引き下ろした後、支持板を湾曲させることにより、中央の案内孔に沿って顔面保護板をさらに引き寄せるものである。このため、引き出された顔面保護板の角度をスムーズに変更することができないという問題がある。
【０００５】
本発明は、上記従来の問題を解決することを目的としたものであり、所定の位置に引き出された状態のシールドの取付け角をスムーズに変更できるヘルメットのシールド装着装置を提供することを目的としている。
【課題を解決するための手段】
【０００６】
請求項１に記載の本発明のヘルメットのシールド装着装置は、シールドと、当該シールドの進退を案内する案内溝を備えたシールドガイド板と、前記シールドと係合して前記シールドと一体となって前記シールドガイドを移動する固定部材とを備えたヘルメットのシールド装着装置において、前記シールドガイド板が前記案内溝下端から前記案内溝上端方向に突出する凸部を有しており、前記固定部が前記凸部を係止する複数の係止部を備えた取付け角変更部を有しており、前記シールドが所定の位置まで引き出された状態において、前記凸部を係止する前記取付け角変更部の前記係止部を変更することにより、前記シールドの取付け角が変わるものである。
この構成によれば、シールドが所定の位置まで引き出された状態で、凸部を係止する係止部を変更することにより、シールドガイド板を湾曲させることなくシールドの取付け角を変えることができる。
なお、シールドの「取付け角」とは、シールドガイド板の面に対するシールドの角度をいう。また、「所定の位置」とは、シールドの案内溝と係合する部分が、案内溝の下端に当接した状態となって、シールドをそれ以上引き出すことができない位置をいう。
請求項２の本発明は、請求項１に記載のヘルメットのシールド装着装置において、前記取付け角変更部が上下方向に変位可能な弾性を有する板バネの表面に形成されているものである。
上記の構成により、凸部を係止する係止部を変更する際、取付け角変更部が板バネの弾性により上下方向に移動するから、シールドの取付け角の変更をスムーズに行うことができる。
請求項３の本発明は、請求項１に記載のヘルメットのシールド装着装置において、前記シールドが、前記シールドガイド板に向かって延びるように一体に延設されたスライド板部を備えており、前記案内溝が２つであり、２つの前記案内溝の間のレール部が、前記スライド板部と前記固定部材とにより挟まれているものである。
上記の構成により、シールドが所定の位置まで引き出された状態において、スライド板部によりシールドとシールドガイド板との間隔を保持することができる。このため、凸部を係止する係止部を変更する際、シールドとシールドガイド板とが干渉することを防止できる。
請求項４の本発明は、請求項３に記載のヘルメットのシールド装着装置において、前記レール部が他の部分よりも厚みの薄い薄肉部を備えており、前記シールドが所定の位置まで引き出された状態において、前記固定部材が前記薄肉部に位置するものである。
上記の構成により、スライド板部と固定部材との間に隙間が形成されて、固定部材が前方向に移動することができる範囲が大きくなる。このため、凸部を係止する取付け角変更部の係止部をスムーズに変更することができる。また、案内溝に沿ってシールドを移動させる場合には、スライド板部と固定部材との間にレール部の厚みの厚い部分が位置することから、進退の際にシールドががたつくことを防止できる。
請求項５の本発明は、請求項３に記載のヘルメットのシールド装着装置において、前記スライド板部の上端が前記シールドガイド板から離れる方向に曲がって延びているものである。
上記のように、スライド板部を、シールドからシールドガイド板に向かって延びた後にシールドガイド板から離れる方向に曲がったものとすれば、側面から見た場合に、シールドガイド板側に突出するなだらかな山状部分がスライド板部の上端付近に形成される。そして、スライド板部は、シールドの取付け角を変更する際、その上端がシールドガイド板表面から離れた状態で、山状部分の頂点付近でシールドガイド板表面と接することとなる。このため、シールドの取付け角変更をスムーズに行うことができる。
【発明の効果】
【０００７】
本発明のシールド装着装置によれば、シールドが所定の位置まで引き出された状態において、シールドガイド板を湾曲させることなく、シールドの取付け角を変更することができる。したがって、シールドの取付け角変更をスムーズに行うことが可能となる。
【図面の簡単な説明】
【０００８】
【図１】（ａ）シールドが格納位置に格納された状態におけるヘルメットの側面図、（ｂ）シールドが使用位置に引き出された状態におけるヘルメットの側面図
【図２】本発明の実施形態に係るヘルメットのシールド装着装置を下方から見た分解斜視図
【図３】本発明の実施形態に係るヘルメットのシールド装着装置によりシールドがヘルメットに装着された状態を示す底面斜視図であり、（ａ）シールドが格納位置に格納された状態の底面斜視図、（ｂ）シールドが使用位置に引き出された状態の底面斜視図
【図４】シールドが使用位置に引き出された状態におけるシールドの取付け角変更を説明する図であり、（ａ）シールドの取付け角を示すヘルメットの側面図、（ｂ）取付け角変更前における固定部材と凸部との係止状態を斜め下方向から見た状態を示す斜視図、（ｃ）取付け角変更後における固定部材と凸部との係止状態を斜め下方向から見た状態を示す斜視図
【図５】固定部材の取付け角変更部と凸状部との係止状態を説明する断面模式図であり、（ａ）取付け角変更前の状態を示す断面模式図、（ｂ）取付け角変更後の係止状態を示す断面模式図
【図６】シールドが所定の位置まで引き出された状態を説明するためにヘルメット本体を取り除いて示した側面図
【図７】本発明の実施形態に係るヘルメットのシールド取付け角変更装置によりシールドがヘルメットに装着された状態を示す底面図であり、（ａ）シールドが格納位置に格納された状態の底面図、（ｂ）シールドが使用位置に引き出された状態の底面図
【図８】図７（ａ）の丸で示したＡの部分の概略を拡大して示す説明図
【図９】本発明の実施形態に係るヘルメットのシールド装着装置によりシールドがヘルメットに装着され格納された状態を説明するためにヘルメット本体を取り除いて示す（ａ）側面図、（ｂ）平面図
【発明を実施するための形態】
【０００９】
本発明のヘルメットのシールド装着装置（以下、適宜「シールド装着装置」という。）の実施形態について、以下に図面を参酌しながら説明する。
【００１０】
図１（ａ）は、シールドが格納位置に格納された状態におけるヘルメットの側面図を示し、図１（ｂ）は、シールドが使用位置に引き出された状態におけるヘルメットの側面図を示している。同図に示すように、本発明のシールド装着装置は、不要な場合にシールドをヘルメット内の所定位置に格納し、必要な場合にシールドをヘルメット内から引き出して使用位置（使用状態における所定の位置）に保持するものである。
【００１１】
図２は、本実施形態に係るヘルメットのシールド装着装置を下方から見た分解斜視図である。同図に示すように、シールド装着装置１００は、シールド１０と、シールド１０の進退を案内する案内溝２１を備えたシールドガイド板２０と、案内溝２１とシールド１０とを係合させ、シールド１０と一体に移動する固定部材３０とを備えている。そして、シールドガイド板２０をヘルメット本体２００内に固定した状態で、ヘルメット本体２００とシールドガイド板２０との間でシールド１０を進退させ、使用しない場合には格納位置へ格納し、必要な場合にヘルメット内から引き出して所定位置に保持する。
【００１２】
ヘルメット本体２００の内側には、シールド装着装置１００の他にハンモックが備えられているが、本実施形態では説明を省略する。ハンモックは、ヘルメット本体２００に加わる外力を吸収緩和する作用を有する一般に用いられているものを用いればよい。
【００１３】
シールド１０は、必要に応じてヘルメット装着者の顔面を保護するために用いられるものである。シールド１０は、使用位置に引き出した状態での作業を可能とするために、一般に透明な素材を成型して形成されるものである。また、装着者の顔面に合うように顔面中央を頂部として湾曲した面として形成されている。シールド１０を引き出した状態での作業において、ヘルメット装着者は、シールド１０を介して種々のものを見る。このため、シールドの透明性を良好にすることは、作業における安全性および快適性の向上につながる。また、シールドの透明性を長期間維持することにより、交換サイクルが長くなるから、コストの削減にもつながる。
【００１４】
シールドガイド板２０は、合成樹脂により弾性変形可能な板状に形成されてなるものであり、案内溝２１および縁ガイド部２２を備えている。
案内溝２１は、シールドガイド板２０の中央に上下方向に延びるように２本形成されている。シールド１０および固定部材３０は、この案内溝２１に沿って移動するものである。なお、本実施形態においては、ヘルメット本体２００が装着された状態を基準として上下を示すこととする。すなわち、ヘルメット本体２００の頂部側を上とし、その反対側を下とする。
【００１５】
また、案内溝２１の下端のシールド１０と反対側の面に、案内溝２１上端方向に突出する凸部２６が形成されている。この凸部を係止するシールド支持部３２の取付け角変更部３３の係止部を変更することにより、シールド１０の取付け角を変更することができる。
【００１６】
すなわち、シールド１０が所定の位置まで引き出された状態において、凸部２６を係止する取付け角変更部３３の係止部を変更して固定部材３０を前方に移動させることにより、スライド脚１２を介してシールド１０を前側に押し出すことができる。固定部材３０の係止部を変更することによって、スライド板部１３とレール部２３との接点が支点となり、固定部材３０によってシールド１０が押し出された状態を維持することができる結果として、シールド１０の取付け角を変更することができる。なお、シールド１０が押し出されてシールド１０の取付け角が変更された状態においては、シールド縁部１１は縁ガイド部２２の奥の面２２ａ（図８参照）から離れた状態となっている。
【００１７】
縁ガイド部２２は、シールドガイド板２０の両端に形成されている。シールド１０が案内溝２１に沿って移動する際、シールド１０とシールドガイド板２０との間隔を維持するように、シールド１０両端のシールド縁部１１を縁ガイド部２２が支持する。縁ガイド部２２を設けることにより、シールド１０が進退する際、縁ガイド部２２およびスライド板部１３を支持するレール部２３の３つの部分により、シールド１０とシールドガイド板２０との間隔が維持される。したがって、シールド１０とシールドガイド板２０との接触を抑制することができる。
【００１８】
一方、従来のシールド保持構造（例えば、特許文献３）では、シールドとシールドガイド板との間に間隔を形成する手段は設けられていない。このため、シールドが進退する際、くり返しシールドガイド板２０と接することとなる。したがって、シールドの進退によってシールドが曇ることによる安全性および快適性の低下を解消するために、早期にシールドを交換することが必要であった。
これに対して、本実施形態のシールド装着装置１００によれば、３つの部分でシールド１０とシールドガイド板２０との間隔を維持し、シールド１０に曇りが生じることを抑制できる。したがって、シールド１０の曇りによる安全性および快適性の低下、ならびに交換コストを抑えることができる。
【００１９】
固定部材３０は、合成樹脂を成型して形成されるものであり、シールドガイド板２０内側（装着者側）表面において、案内溝２１を貫通して突出するシールド１０のスライド脚１２を係止して抜け止めを行う部材である。固定部材３０がスライド脚１２を係止することにより、シールド１０のスライド脚１２がシールドガイド板２０の案内溝２１を貫通した状態を維持する。固定部材３０は、上述のように案内溝２１とシールド１０とを係合させた状態で、シールド１０と一体に案内溝２１に沿って移動する。
【００２０】
スライド脚１２は、シールド１０のシールドガイド板２０側の面に設けられており、少なくともその一部がスライド板部１３に形成されている。ここで、スライド板部１３とは、シールド１０の上部に、シールドガイド板２０に向かって延びるようにシールド１０と一体に延設された部分をいう。スライド脚１２がスライド板部１３に形成されていることから、固定部材３０がスライド脚１２を係止した状態では、２つの案内溝２１の間のレール部２３がシールド１０のスライド板部１３と固定部材３０によって挟まれた状態となっている。
【００２１】
固定部材３０の中央部には、上向きコ字状のスリットを設けて形成された、上方から下方に向かって延びる片持ち状の弾性係止片３１が設けられている。弾性係止片３１の先端部には係止爪が形成されている。弾性係止片３１をレール部２３の係止爪に係止することにより、シールド１０を格納位置または使用位置に保持することができる。レール部２３の固定部材３０側の表面には、係止爪２４および係止爪２５が形成されている。係止爪２４はシールド１０または固定部材３０が案内溝２１の上端に当接した位置でシールド１０を保持するためのものであり、係止爪２５はシールド１０または固定部材３０が案内溝２１の下端に当接した位置でシールド１０を保持するためのものである。弾性係止片３１の係合爪と係止爪２４・２５とは、弾性係止片３１の弾性により圧接係合して、シールド１０の位置を維持する。
【００２２】
弾性係止片３１をレール部２３上端付近の係止爪２４と係合させれば、シールド１０がヘルメット本体２００内の格納位置に格納された状態を維持することができる。また、弾性係止片３１をレール部２３の下端付近の係止爪２５と係合させれば、シールド１０が使用位置に引き出された状態を維持することができる。
【００２３】
固定部材３０の下端には、案内溝２１を貫通し、シールドガイド板２０から突出するシールド支持部３２が形成されている。このシールド支持部３２がシールド１０に当接することによって、シールド１０とシールドガイド板２０との間隔を維持することができるから、両者の接触を防止することができる。また、シールド支持部３２の下面（凸部２６と当接する面）には、凸部２６を係止するための係止部を複数備えた取付け角変更部３３が形成されている。
【００２４】
図３は、本発明の実施形態に係るヘルメットのシールド取付け角変更装置によりシールドがヘルメットに装着された状態を示す底面斜視図であり、（ａ）はシールドが格納位置に格納された状態の底面斜視図を示し、（ｂ）はシールドが使用位置に引き出された状態の底面斜視図を示している。
【００２５】
シールド１０は、シールドガイド板２０に向かって延びるようにシールド１０から一体に延設されたスライド板部１３を備えている。シールドガイド板２０の案内溝２１は２つ形成されており、スライド板部１３に設けられている２つのスライド脚１２が、それぞれレール部２３を貫通した状態で、固定部材３０により係止される（図２参照）。これにより、案内溝２１の間のレール部２３が、シールド１０のスライド板部１３と固定部材３０によって挟まれた状態となり、シールドガイド板２０の案内溝２１に沿ってシールド１０を進退させることができる。
【００２６】
シールドガイド板２０に向かって延びているスライド板部１３において、シールド１０と案内溝２１とを係合させることより、シールド１０とシールドガイド板２０との間の間隔Ｄを維持できる。このため、シールド１０が進退する際のみならず、所定位置に引き出された状態においても、シールド１０とシールドガイド板２０とが接触することを防止し、シールド１０の取付け角変更をスムーズに行うことができる。
【００２７】
図３（ａ）に示すように、シールドガイド板２０のレール部２３は、厚みの薄い薄肉部２７を備えている。そして、図３（ｂ）に示すように、シールド１０が引き出されて、案内溝２１の下端に係止された状態（弾性係止片３１と係止爪２５とが係合した状態、所定の位置、使用位置）においては、固定部材３０全体が薄肉部２７に位置する。すなわち、薄肉部２７は、シールド１０が引き出されて所定の位置にある状態において、レール部２３の固定部材３０が位置する部分にのみ形成されている。
【００２８】
この構成により、レール部２３の厚みを薄くした分だけ固定部材３０を前方向（図４（ａ）に矢印で示した方向）に移動させることが容易になる。このため、凸部２６を係止する取付け角変更部３３の係止部をスムーズに変更することができる（図４、図５参照）。
また、係止爪２５と固定部材３０との係止を外して案内溝２１に沿ってシールド１０を進退させる際には、固定部材３０とスライド板部１３とはレール部２３の厚みの厚い部分を挟むため、シールド１０が進退する際に、薄肉部２７を原因とするがたつきが生じることはない。
【００２９】
図４は、シールドが使用位置に引き出された状態におけるシールドの取付け角変更を説明する図であり、（ａ）がシールドの取付け角を示すヘルメットの側面図であり、（ｂ）が取付け角変更前における固定部材と凸部との係止状態を斜め下方向から見た状態を示す斜視図であり、（ｃ）が取付け角変更後における固定部材と凸部との係止状態を斜め下方向から見た状態を示す斜視図である。
【００３０】
図４（ａ）においては、使用位置に引き出された状態のシールド１０を実線で示し、その状態において取付け角が変更されたシールド１０を破線で示す。シールド１０の取付け角変更前においては、図４（ｂ）に示すように、凸部２６が取付け角変更部３３の端から２番目の係止部３３ａに係止されている。この状態で図４（ａ）に矢印で示した方向にシールド１０を押し出すことにより、図４（ｃ）に示すように、取付け角変更部３３における凸部２６の係止位置を取付け角変更部３３の端から１番目の係止部３３ｂに変更することができる。このようにして、シールド１０を実線で示した位置から破線で示した位置に移動させて取付け角を変更することができる。
【００３１】
上述したように、シールド１０が所定の位置まで引き出され、弾性係止片３１が係止爪２５に係止されている状態において、シールド１０を押し出すことにより、凸部２６を係止する取付け角変更部３３の係合部を係止部３３ａから係止部３３ｂに変更し、シールド１０の取付け角を変えることができる。このように、シールド装着装置１００によれば、シールドガイド板２０を湾曲させることなく、シールド１０の取付け角変更を直感的かつスムーズに行うことができる。
【００３２】
また、支持板を撓ませて顔面保護板の角度を変更する従来の方式では、製品誤差が大きく、顔面保護板の角度が不安定になるという問題がある。しかし、シールド装着装置１００は、シールドガイド板２０を湾曲させることなく、シールド１０の取付け角を変更するものである。このため、製品誤差の小さい安定したシールド取付け角のものとすることができる。
【００３３】
図５は固定部材の取付け角変更部と凸状部との係止状態を説明する断面模式図であり、（ａ）が取付け角変更前の係止状態を示すものであり、（ｂ）が取付け角変更後の係止状態を示すものである。これらの図に示すように、シールド装着装置１００の取付け角変更部３３は２つの断面山型の係止部３３ａ、３３ｂを備えている。なお、係止部の数は２つに限られるものではなく、３つ以上としても良い。
【００３４】
図５（ａ）に示すように、取付け角変更部３３は上下方向に変位可能な弾性を有する板バネ状のシールド支持部３２の凸部２６側の面に形成されている。このため、図５（ａ）に示すように、係止部３３ａと凸部２６とが係合している状態で、シールド支持部３２を前方（実線矢印の方向）に移動させると、シールド支持部３２の弾性によりシールド支持部３２が上方向（破線矢印の方向）に撓む。すなわち、係止部３３ａと凸部２６とが係合している状態で、シールド１０を前方に移動させる方向の力が加えられると（図４（ａ）参照）、その力がスライド脚１２を介して固定部材３０に伝えられ、シールド支持部３２は、前方に移動すると共に、その弾性により撓んで取付け角変更部３３が上方に移動する。これにより、取付け角変更部３３が凸部２６上をスムーズに動いて乗り越えることができる。そして、係止部３３ａが凸部２６を乗り越えた後、シールド支持部３２の弾性により、取付け角変更部３３が図５（ｂ）に破線矢印で示した方向に戻り、係止部３３ｂに凸部２６が係止される。
【００３５】
上記のように、シールド１０が所定の位置まで引き出された状態において凸部２６を係止する取付け角変更部３３の係止部を係止部３３ａから係止部３３ｂに変更する際、シールド支持部３２の弾性によって取付け角変更部３３が上下方向に移動することにより、シールド１０の取付け角変更をスムーズに行うことができる。
また、凸部２６が係止部３３ｂに係止されている状態のときには、シールド１０を後方に移動させることにより、シールド１０の取付け角変更をスムーズに行うことができる。
【００３６】
図６は、シールドが所定の位置まで引き出された状態を説明するためにヘルメット本体を取り除いて示した側面図である。
同図に示すように、スライド板部１３の上端１３ａは、シールドガイド板２０から離れる方向に曲がって延びている。このため、シールド１０が所定の位置まで引き出された状態において、スライド板部１３の上端１３ａがシールドガイド板２０の表面から離れた状態となる。したがって、シールド１０を前に押し出して、その取付け角をα１からα２に変更する場合、スライド板部１３は上端１３ａではなく面でシールドガイド板２０と接触する。これにより、シールド１０の取付け角の変更をスムーズに行うことができる。
【００３７】
図７は、本発明の実施形態に係るヘルメットのシールド装着装置によりシールドがヘルメットに装着された状態を示す底面図であり、（ａ）はシールドが格納位置に格納された状態を、（ｂ）はシールドが使用位置に引き出された状態をそれぞれ示している。
図７（ａ）に示すように、シールド１０が格納位置に格納された状態では、弾性係止片３１は係止爪２４に係止されている。また、図７（ｂ）に示すように、シールド１０が使用位置に引き出された状態では、弾性係止片３１は係止爪２５に係止されている。
【００３８】
これらの図に示すように、シールド１０が格納位置から使用位置まで移動する際、シールド縁部１１がシールド１０面を挟むコ字状の形状をしている縁ガイド部２２の内側に位置している。このように、シールド縁部１１を縁ガイド部２２内に位置させることにより、シールド１０が移動する際、シールド１０とシールドガイド板２０との間隔Ｄを保持することができると共に、シールド１０の左右のぐらつきを抑制することができる。したがって、シールド１０をスムーズに移動させることができる。
【００３９】
図８は、図７（ａ）の丸で示したＡの部分の概略を拡大して示す説明図である。同図に示すように、シールド１０の進退の際、シールド縁部１１がコ字状の縁ガイド部２２内側の２つの側面２２ｂに挟まれた奥の面２２ａに接することで、シールド１０とシールドガイド板２０との間隔Ｄを維持することができる。また、この際、シールド１０両側が、縁ガイド部２２の側面２２ｂにより支持されるから、シールド１０の左右方向のぐらつきを抑制することができる。
【００４０】
シールド１０を進退させる際に、シールド１０に大きな力が加えられた場合、縁ガイド部２２内に位置するシールド縁部１１が、一時的に縁ガイド部２２の外に出ることがある。このような場合、縁ガイド部２２とヘルメット本体２００内面との間に隙間があると、その隙間にシールド縁部１１が入り込むことがある。シールド縁部１１が隙間に入り込むと、シールド１０とシールドガイド板２０との間隔Ｄを保持できなくなるから、シールド１０がシールドガイド板２０に接触するおそれがある。
【００４１】
そこで、シールド装着装置１００の縁ガイド部２２は、そのコ字状の端部２２ｃがヘルメット本体２００の内面に固定されている。すなわち、縁ガイド部２２は、シールド１０の外側に位置する側の端部２２ｃがヘルメット本体２００内面に接した状態で固定されている。このため、一時的にシールド縁部１１がコ字状の縁ガイド部２２の外に位置した場合にも、その後、確実にシールド縁部１１を縁ガイド部２２内に位置させて、シールド１０とシールドガイド板２０との間隔Ｄを維持することができる。
【００４２】
縁ガイド部２２は、係止片２２ｄ（図９参照）をヘルメット本体２００の係止孔２０１に差し込んで取り外し可能な状態で係止することにより、ヘルメット本体２００の内面に固定されている。
【００４３】
シールド装着装置１００は、シールド１０を交換可能とするため、ヘルメット本体２００から取り外し可能となっている。このため、シールド１０の交換作業を装着者が行うこととなる。ここで、縁ガイド部２２が奥の面２２ａよりも後ろ側のみでヘルメット本体２００の内側に接するように固定され、端部２２ｃがヘルメット本体２００の内側に固定されていないと、縁ガイド部２２とヘルメット本体２００との間に隙間が形成される。したがって、装着者がシールド装着装置１００をヘルメット本体２００に取付ける際、シールド縁部１１を縁ガイド部２２ではなく、誤って縁ガイド部２２とヘルメット本体２００との間の隙間に配置してしまうおそれがある。シールド縁部１１が誤った位置に配置されると、シールド装着装置１００の機能が発揮されないこととなる。
【００４４】
そこで、シールド装着装置１００の縁ガイド部２２は、縁ガイド部２２の端部２２ｃがヘルメット本体２００内面に接した状態で固定されている。これにより、シールド縁部１１を配置する正しい位置を知らない者が取付けた場合でも、シールド縁部１１は必ず縁ガイド部２２内に配置されることとなる。したがって、シールド装着装置１００は、シールド１０とシールドガイド板２０との間隔を保持する機能を確実に発揮することができる。
【００４５】
図９は、本発明の実施形態に係るヘルメットのシールド装着装置によりシールドがヘルメットに装着された状態を説明するためにヘルメット本体を取り除いて示した、（ａ）側面図および（ｂ）平面図である。
【００４６】
図９（ａ）に示すように、シールド１０は、シールドガイド板２０に向かって延びるように一体に延設されたスライド板部１３を備えている。これにより、シールド縁部１１を支持する縁ガイド部２２にスライド板部１３を加えた部分で、シールド１０とシールドガイド板２０との間隔Ｄを維持することができる。したがって、シールド１０が案内溝２１（図７（ａ）（ｂ）参照）に沿って進退する際に、シールド１０とシールドガイド板２０との間に所定の間隔Ｄが維持された状態を保持して、両者が接触することを防止できる。
【００４７】
図９（ｂ）に示すように、固定部材３０（図２参照）は、レール部２３を貫通してシールドガイド板２０から突出したシールド支持部３２を備えている。シールド１０とシールドガイド板２０との間隔が小さくなると、シールド支持部３２がシールド１０に当たる。このため、シールド支持部３２によっても、シールド１０とシールドガイド板２０との間の間隔を維持することができる。
【産業上の利用可能性】
【００４８】
本発明は、種々の建築作業や土木作業、重機の運転、建物内外における警備、作業において、衝撃などから保護して安全を確保するヘルメット用のシールド装着装置として用いることができる。
【符号の説明】
【００４９】
１０  シールド
１１  シールド縁部
１２  スライド脚
１３  スライド板部
１３ａ  上端
２０  シールドガイド板
２１  案内溝
２２  縁ガイド部
２２ｃ  端部
２３  レール部
２４，２５  係止爪
２６  凸部
２７  薄肉部
３０  固定部材
３１  弾性係止片
３２  シールド支持部
３３  取付け角変更部
３３ａ、３３ｂ  係止部
１００  シールド装着装置
２００  ヘルメット本体
Ｄ  シールドとシールドガイド板との間隔
【図１】
2013083012.tif 000003
【図２】
2013083012.tif 000004
【図３】
2013083012.tif 000005
【図４】
2013083012.tif 000006
【図５】
2013083012.tif 000007
【図６】
2013083012.tif 000008
【図７】
2013083012.tif 000009
【図８】
2013083012.tif 000010
【図９】
2013083012.tif 000011